(57)【要約】【課題】  少ない入出力端子数でＮ波長対応光ピックアップのレーザ光源を駆動することができる、レーザダイオード・ドライバを提供すること。【解決手段】  ３波長対応光ピックアップは、第１乃至第３のレーザビームを出射する第１乃至第３のレーザダイオードと、第１乃至第３のレーザビームの発光量をモニタするための１個のフロントモニタを備える。レーザダイオード・モニタは、フロントモニタのモニタ量を電流／電圧変換してモニタ出力信号を出力する電流／電圧変換増幅器を有する。レーザダイオード・ドライバは、選択信号に応答して、第１乃至第３のレーザダイオードの１つを選択的に駆動する手段を有する。レーザダイオード・ドライバは、選択信号に応答して、電流／電圧変換増幅器の第１乃至第３のモニタ電圧変換ゲインの１つを選択する選択手段を有する。【選択図】      図４
2008090923.tif 000002
【特許請求の範囲】
【請求項１】
互いに波長の異なるＮ（Ｎは２以上の整数）種類のレーザビームを使い分けてＮ種類の光ディスクに対して記録・再生を行うことが可能なＮ波長対応光ピックアップのレーザ光源を駆動するためのレーザダイオード・ドライバであって、前記Ｎ波長対応光ピックアップは、前記レーザ光源としてそれぞれ第１乃至第Ｎのレーザビームを出射する第１乃至第Ｎのレーザダイオードを備えると共に、前記第１乃至第Ｎのレーザビームの発光量をモニタするための１個のフロントモニタを備える、前記レーザダイオード・ドライバに於いて、
前記フロントモニタでモニタされたモニタ電流量をモニタ電圧量に変換して該モニタ電圧量をモニタ出力信号として出力する電流／電圧変換増幅器を有することを特徴とするレーザダイオード・ドライバ。
【請求項２】
選択信号に応答して、前記第１乃至第Ｎのレーザダイオードの１つを選択的に駆動する手段を有する、請求項１に記載のレーザダイオード・ドライバ。
【請求項３】
前記電流／電圧変換増幅器は、前記第１乃至第Ｎのレーザダイオードに対応した第１乃至第Ｎのモニタ電圧変換ゲインを選択可能であり、
前記レーザダイオード・ドライバは、
前記選択信号に応答して、前記電流／電圧変換増幅器の前記第１乃至第Ｎのモニタ電圧変換ゲインの１つを選択する選択手段を有する、請求項２に記載のレーザダイオード・ドライバ。
【請求項４】
請求項１乃至３のいずれか１項に記載のレーザダイオード・ドライバを備えたＮ波長対応光ピックアップ。
【発明の詳細な説明】
【技術分野】
【０００１】
本発明は、光ピックアップに関し、特に、互いに波長の異なるＮ（Ｎは２以上の整数）種類のレーザビームを使い分けてＮ種類の光ディスクに対して記録・再生を行うことが可能なＮ波長対応光ピックアップのレーザ光源を駆動するためのレーザダイオード・ドライバに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＤＶＤ用の短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＤＶＤ用の中波長レーザ光（波長約６５０ｎｍ）とＣＤ用の長波長レーザ光（波長約７８０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。また、光学系は、レーザ光源から出射されたレーザ光の発光量をモニタするためのフロントモニタを備えている。レーザ光源は、レーザダイオード・ドライバ（ＬＤＤ）によって駆動される。レーザダイオード・ドライバは、フロントモニタでのモニタ量に基づいて、レーザ光源を駆動する。
【０００９】
【特許文献１】特開２００３−１７３５６３号公報
【特許文献２】特開平１１−１４９６５２号公報
【発明の開示】
【発明が解決しようとする課題】
【００１０】
３波長対応光ピックアップでは、前述したように、レーザ光源として、１チップ型レーザダイオード（２波長１パッケージレーザダイオード）とＨＤ−ＤＶＤ用の青色レーザダイオードとを使用することができる。この場合、レーザダイオード・ドライバとしては、２波長１パッケージレーザダイオードを駆動するための第１のレーザダイオード・ドライバと、青色レーザダイオードを駆動するための第２のレーザダイオード・ドライバとをそれぞれ用意する必要がある。また、フロントモニタとしても、２波長１パッケージレーザダイオードから出射されたレーザ光の発光量をモニタするための第１のフロントモニタと、青色レーザダイオードから出射されたレーザ光の発光量をモニタするための第２のフロントモニタとの２系統を用意する必要ある。そのため、従来の３波長対応光ピックアップにおいては、そのレーザ光源を駆動するためのレーザダイオード・ドライバの入出力端子が増えることにより、３波長対応光ピックアップの端子数が多くなるという欠点がある。
【００１１】
これは、一般に、Ｎ（Ｎは２以上の整数）波長対応光ピックアップの場合でも問題となる場合がある。
【００１２】
そこで、本発明の課題は、少ない入出力端子数でＮ波長対応光ピックアップのレーザ光源を駆動することができる、レーザダイオード・ドライバを提供することにある。
【課題を解決するための手段】
【００１３】
本発明によれば、互いに波長の異なるＮ（Ｎは２以上の整数）種類のレーザビームを使い分けてＮ種類の光ディスクに対して記録・再生を行うことが可能なＮ波長対応光ピックアップ（１０）のレーザ光源（１１，１２）を駆動するためのレーザダイオード・ドライバ（１２０）であって、前記Ｎ波長対応光ピックアップ（１０）は、前記レーザ光源としてそれぞれ第１乃至第Ｎのレーザビームを出射する第１乃至第Ｎのレーザダイオード（ＣＤ−ＬＤ、ＤＶＤ−ＬＤ、ＨＤ−ＬＤ）を備えると共に、前記第１乃至第Ｎのレーザビームの発光量をモニタするための１個のフロントモニタ（２５）を備える、前記レーザダイオード・ドライバに於いて、前記フロントモニタ（２５）でモニタされたモニタ電流量をモニタ電圧量に変換して該モニタ電圧量をモニタ出力信号として出力する電流／電圧変換増幅器（１２１）を有することを特徴とするレーザダイオード・ドライバが得られる。
【００１４】
上記レーザダイオード・ドライバは、選択信号に応答して、前記第１乃至第Ｎのレーザダイオードの１つを選択的に駆動する手段（１２３、１２６）を有する。前記電流／電圧変換増幅器（１２１）は、前記第１乃至第Ｎのレーザダイオードに対応した第１乃至第Ｎのモニタ電圧変換ゲインを選択可能であることが好ましい。その場合、前記レーザダイオード・ドライバ（１２０）は、前記選択信号に応答して、前記電流／電圧変換増幅器（１２１）の前記第１乃至第Ｎのモニタ電圧変換ゲインの１つを選択する選択手段（１２３、１２５）を有する。
【００１５】
なお、上記括弧内の参照符号は、単に本発明の理解を容易にするために付したものであって、何ら本発明を限定するものではない。
【発明の効果】
【００１６】
第１乃至第Ｎのレーザダイオードから出射された第１乃至第Ｎのレーザビームの発光量をモニタするための１個のフロントモニタでモニタされたモニタ電流量をモニタ電圧量に変換して該モニタ電圧量をモニタ出力信号として出力する１個の電流／電圧変換増幅器を備えるので、少ない入出力端子数でＮ波長対応光ピックアップのレーザ光源を駆動することができる。
【発明を実施するための最良の形態】
【００１７】
以下、図面を参照して本発明の実施の形態について詳細に説明する。
【００１８】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＤＶＤ用の中波長レーザビーム（波長約６５０ｎｍ）とＣＤ用の長波長レーザビーム（波長約７８０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００１９】
図１は本発明が適用される３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００２０】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００２１】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外側壁に取り付けられ、対物レンズ３１を除く光学系は光学ベース内に取り付けられる。
【００２２】
一方、対物レンズ３１は、対物レンズ駆動装置（図示せず）に搭載される。対物レンズ駆動装置は、対物レンズ３１を保持する対物レンズホルダを、複数本のサスペンションワイヤによってダンパベースで弾性支持する。
【００２３】
図示の３波長対応光ピックアップ１０は、光学系として、第１および第２の回折格子（グレーティング）１６および１７と、第１のビームスプリッタ２１と、第２のビームスプリッタ２３と、フロントモニタ２５と、立上げミラー（全反射ミラー）２７と、コリメータレンズ２９と、上記対物レンズ３１と、センサレンズ（検出レンズ）３３とを備えている。
【００２４】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００２５】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００２６】
次に、図１に示した３波長対応光ピックアップの動作について説明する。この技術分野において周知のように、３波長対応光ピックアップは、書込みモードと再生モードとのいずれか一方のモードで動作するが、ここでは、再生モードの場合の動作について説明する。
【００２７】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００２８】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第１のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＣＤ）の記録面に照射される（集光される）。
【００２９】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５に集光する（で受光される）。
【００３０】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００３１】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第２のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＤＶＤ）の記録面に照射される（集光される）。
【００３２】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５に集光する（で受光される）。
【００３３】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００３４】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第３のビームスプリッタ２１で反射され、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第３のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００３５】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５に集光する（で受光される）。
【００３６】
図２に、本発明の一実施の形態に係るレーザダイオード・ドライバ（ＬＤＤ）１２０について説明する。
【００３７】
前述したように、３波長対応光ピックアップ１０は、レーザ光源として、それぞれ第１乃至第３のレーザビームを出射するための第１乃至第３のレーザダイオードＣＤ−ＬＤ、ＤＶＤ−ＬＤ、およびＨＤ−ＬＤを備えると共に、第１乃至第３のレーザビームの発光量をモニタするための１個のフロントモニタ２５を備える。
【００３８】
図示のレーザダイオード・ドライバ１２０は、フロントモニタ２５でモニタされたモニタ電流量をモニタ電圧量に変換して該モニタ電圧量をモニタ出力信号として出力する１個の電流／電圧変換増幅器１２１を有する。このモニタ出力信号は、光ディスクドライブへ送出される。
【００３９】
一方、レーザダイオード・ドライバ１２０には、光ディスクドライブから再生入力信号と選択信号とが供給される。後述するように、レーザダイオード・ドライバ１２０は、選択信号に応答して、第１乃至第３のレーザダイオードＣＤ−ＬＤ、ＤＶＤ−ＬＤ、およびＨＤ−ＬＤの１つを選択的に駆動する手段を有する。また、電流／電圧変換増幅器１２１は、第１乃至第３のレーザダイオードＣＤ−ＬＤ、ＤＶＤ−ＬＤ、およびＨＤ−ＬＤに対応した第１乃至第３のモニタ電圧変換ゲインを選択可能に構成されている。後述するように、レーザダイオード・ドライバ１２０は、選択信号に応答して、電流／電圧変換増幅器１２１の第１乃至第３のモニタ電圧変換ゲインの１つを選択する選択手段を有する。
【００４０】
図３を参照して、レーザダイオード・ドライバ１２０の入出力端子について説明する。
【００４１】
レーザダイオード・ドライバ１２０は、第１乃至第３のレーザダイオードＣＤ−ＬＤ、ＤＶＤ−ＬＤ、およびＨＤ−ＬＤに接続される端子を持つ。すなわち、ＩＯＵＴＣ端子、ＩＯＵＴＢ端子、およびＩＯＵＴＡ端子は、それぞれ、第１乃至第３のレーザダイオードＣＤ−ＬＤ、ＤＶＤ−ＬＤ、およびＨＤ−ＬＤのアノードに接続されている。ＶＣＣＣ端子、ＶＣＣＢ端子、およびＶＣＣＡ端子は、それぞれ、コンデンサを介して第１乃至第３のレーザダイオードＣＤ−ＬＤ、ＤＶＤ−ＬＤ、およびＨＤ−ＬＤのカソードに接続されている。
【００４２】
レーザダイオード・ドライバ１２０は、電流／電圧変換増幅器１２１（図２）の第１乃至第３のモニタ電圧変換ゲインを設定するための端子を持つ。すなわち、ＲＴＩＣ端子は、第１のレーザダイオードＣＤ−ＬＤ用のモニタ電圧変換ゲインを設定するための端子で、第１の抵抗器を介してＰＤＩＮ端子に接続されている。ＲＴＩＢ端子は、第２のレーザダイオードＤＶＤ−ＬＤ用のモニタ電圧変換ゲインを設定するための端子で、第２の抵抗器を介してＰＤＩＮ端子に接続されている。ＲＴＩＡ端子は、第３のレーザダイオードＨＤ−ＬＤ用のモニタ電圧変換ゲインを設定するための端子で、第３の抵抗器を介してＰＤＩＮ端子に接続されている。ＰＤＩＮ端子には、フロントモニタ２５のアノードが接続され、フロントモニタ２５のカソードはＶＣＣＳ端子に接続されている。
【００４３】
レーザダイオード・ドライバ１２０は、第１乃至第３のレーザダイオードのいずれか１つを選択するための選択信号を入力するためのＳＥＬ１端子、ＳＥＬ２端子と、再生入力信号を入力するためのＥＮＯＳＣ端子とを有する。また、レーザダイオード・ドライバ１２０は、モニタ出力信号を出力するためのＰＤＯＵＴ端子を有する。
【００４４】
レーザダイオード・ドライバ１２０は、後述するＲＦ発振器に対して各種設定を行うためのＲＦ端子、ＲＳＡ端子、ＲＳＢ端子、およびＲＳＣ端子を有する。これら端子には抵抗器が接続されている。また、レーザダイオード・ドライバ１２０は、基準電流を抵抗器を介して入力するためのＩＲ端子を有する。レーザダイオード・ドライバ１２０は、基準電圧を入力するためのＶＦＥＲ端子を有する。
【００４５】
図４を参照して、レーザダイオード・ドライバ１２０の内部構成について更に詳細に説明する。
【００４６】
レーザダイオード・ドライバ１２０は、前述した電流／電圧変換増幅器１２１を含む。この電流／電圧変換増幅器１２１の入力端子は、ＰＤＩＮ端子とＶＲＥＦ端子とに接続され、電流／電圧変換増幅器１２１の出力端子はＰＤＯＵＴ端子に接続されている。
【００４７】
レーザダイオード・ドライバ１２０は、更に、読出しチャネル回路１２２と、ロジック回路１２３と、ＲＦ発振器１２４と、第１の選択器１２５と、第２の選択器１２６とを備える。
【００４８】
読出しチャネル回路１２２の入力端子はＩＲ端子に接続され、読出しチャネル回路１２２の出力端子は第２の選択器１２６の固定接点に接続されている。ロジック回路１２３の入力端子はＳＥＬ１端子およびＳＥＬ２端子に接続され、ロジック回路１２３の出力端子は第１および第２の選択器１２５および１２６の制御端子に接続されている。すなわち、ＳＥＬ１端子およびＳＥＬ２端子から供給される選択信号に応答して、ロジック回路１２３は、第１および第２の選択器１２５および１２６の選択を制御する。
【００４９】
ＲＦ発振器１２４の入力端子はＥＮＯＳＣ端子に接続されている。ＲＦ発振器１２４は、ＦＲ端子、ＲＳＡ端子、ＲＳＢ端子、およびＲＳＣ端子に接続されている。ＲＦ発振器１２４の出力端子は第２の選択器１２６の固定接点に接続されている。
【００５０】
第２の選択器１２６の第１乃至第３の可動接点には、それぞれ、第１乃至第３のドライバが接続されている。第１のドライバは、ＩＯＵＴＣ端子とＶＣＣＣ端子を介して第１のレーザダイオードＣＤ−ＬＤに接続されている。第２のドライバは、ＩＯＵＴＢ端子とＶＣＣＢ端子を介して第２のレーザダイオードＤＶＤ−ＬＤに接続されている。第３のドライバは、ＩＯＵＴＡ端子とＶＣＣＡ端子を介して第３のレーザダイオードＨＤ−ＬＤに接続されている。したがって、ロジック回路１２３と第２の選択器１２６と第１乃至第３のドライバの組み合わせは、選択信号に応答して、第１乃至第３のレーザダイオードの１つを選択的に駆動する手段として働く。
【００５１】
また、電流／電圧変換増幅器１２１の出力端子は第１の選択器１２５の固定接点に接続されている。第１の選択器１２５の第１乃至第３の可動接点は、それぞれ、ＲＴＩＣ端子、ＲＴＩＢ端子、およびＲＴＩＡ端子に接続されている。したがって、ロジック回路１２３と第１の選択器１２５との組み合わせは、選択信号に応答して、電流／電圧変換増幅器１２１の第１乃至第３のモニタ電圧変換ゲインの１つを選択する選択手段として働く。
【００５２】
このような構成によれば、１つの再生入力信号によって、第１乃至第３のレーザダイオードＣＤ−ＬＤ、ＤＶＤ−ＬＤ、およびＨＤ−ＬＤの各々を駆動することができる。また、フロントモニタ２５でモニタされたモニタ電流量をモニタ電圧量に変換する電流／電圧変換増幅器１２１は、第１乃至第３のレーザダイオードＣＤ−ＬＤ、ＤＶＤ−ＬＤ、およびＨＤ−ＬＤの切り替えと同期して、選択信号に応答して、第１乃至第３のモニタ電圧変換ゲインの１つを選択でき、各レーザダイオードの発光量をモニタすることが出来る。
【００５３】
とにかく、本実施の形態に係るレーザダイオード・ドライバ１２０は、１つの再生入力信号によって第１乃至第３のレーザダイオードＣＤ−ＬＤ、ＤＶＤ−ＬＤ、およびＨＤ−ＬＤのパワーを制御することができ、且つ、１つのモニタ出力信号のみを出力する。このようにして、レーザダイオード・ドライバ１２０の入出力端子を共通化することによって、３波長対応光ピックアップ１０の端子数を少なくすることが出来る。
【００５４】
以上、本発明ついて一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップを例に挙げて説明したが、本発明はこれに限定されず、一般的に、Ｎ（Ｎは２以上の整数）波長対応光ピックアップにも適用可能である。
【図面の簡単な説明】
【００５５】
【図１】本発明が適用される３波長対応光ピックアップの光学系のシステム構成図（光路図）である。
【図２】図１に図示した３波長対応光ピックアップに使用される、本発明の一実施の形態に係るレーザダイオード・ドライバ（ＬＤＤ）の構成を示すブロック図である。
【図３】図２に図示したレーザダイオード・ドライバの入出力端子を示す平面図である。
【図４】図３に図示したレーザダイオード・ドライバの内部構成を示すブロック図である。
【符号の説明】
【００５６】
１０      ３波長対応光ピックアップ
１１      １チップ型レーザダイオード
１２      青色レーザダイオード(第３のレーザダイオード)
１６      第１の回折格子（グレーティング）
１７      第２の回折格子（グレーティング）
２１      第１のビームスプリッタ
２３      第２のビームスプリッタ
２５      フロントモニタ
２７      立上げミラー（全反射ミラー）
２９      コリメータレンズ
３１      対物レンズ
３３      センサレンズ
３５      光検出器
１２０    レーザダイオード・ドライバ（ＬＤＤ）
１２１    電流／電圧変換増幅器
１２２    読出しチャネル回路
１２３    ロジック回路
１２４    ＲＦ発振器
１２５    第１の選択器
１２６    第２の選択器
【図１】
2008090923.tif 000003
【図２】
2008090923.tif 000004
【図３】
2008090923.tif 000005
【図４】
2008090923.tif 000006